(57)【要約】  湿式カミソリ用又は安全カミソリ用の、硬質プラスチック部（３）、及び圧縮部（４）を備える、改善されたグリップ構造を有するハンドルであって、前記ハンドルは、ハンドルの後部において、ハンドルの上側に設けられたゴムの隆起部（５，６）を備えており、前記ゴムの隆起部は、ハンドルの硬質プラスチック（３）の表面上に突出している。
2008543515.tif 000002
【特許請求の範囲】
【請求項１】
湿式カミソリ用又は安全カミソリ用の、硬質プラスチック部（３）、及び圧縮部（４）を備える、改善されたグリップ構造を有するハンドルであって、
前記ハンドルは、該ハンドルの後部において、前記ハンドルの上側に設けられたゴムの隆起部（５，６）を備え、前記ゴムの隆起部は、前記ハンドルの硬質プラスチックの表面（３）上に突出しているハンドル。
【請求項２】
前記ゴムの隆起部（５，６）は、前記ハンドルの後ろから６ｃｍ〜１ｃｍに設けられている請求項１に記載のハンドル。
【請求項３】
前記ハンドルの横断面が、前記ハンドル長の３０％以上に対して、略Ｖ字形状である請求項１又は２に記載のハンドル。
【請求項４】
前記ゴムの隆起部（５，６）の数が、６〜２０個である請求項１から３のいずれか一項に記載のハンドル。
【請求項５】
前記ゴムの隆起部（５，６）は、立方体、円錐台形状、又は半球形状である請求項１から４のいずれか一項に記載のハンドル。
【請求項６】
前記ゴムの隆起部（５，６）の高さは一定である請求項１から５のいずれか一項に記載のハンドル。
【請求項７】
前記ゴムの隆起部（５，６）の高さは、前記硬質プラスチックの表面上、０．４〜１．５ｍｍである請求項１から６のいずれか一項に記載のハンドル。
【請求項８】
２つの隣接する前記ゴムの隆起部（５，６）の間隔は、７〜２．５ｍｍである請求項１から７のいずれか一項に記載のハンドル。
【請求項９】
前記ゴムの隆起部（５，６）の幅は、０．７〜３ｍｍである請求項１から８のいずれか一項に記載のハンドル。
【請求項１０】
前記ハンドルの上側の後半部分の表面の５０％以上は、硬質プラスチック材料で作られる請求項１から９のいずれか一項に記載のハンドル。
【請求項１１】
前記ハンドルの上側の後半部分の表面の２％〜３０％は、エラストマー材料から作られる請求項１から１０のいずれか一項に記載のハンドル。
【発明の詳細な説明】
【技術分野】
【０００１】
本発明は、湿式カミソリ又は安全カミソリに関する。本発明は特に、湿式カミソリ用又は安全カミソリ用の改善されたグリップ構造を有する、人間工学に基づいたハンドルに関する。
【背景技術】
【０００２】
湿式カミソリ又は安全カミソリ（以下、安全カミソリと称する）の多くの種類が従来技術において知られている。カミソリは通常、ハンドル部を備えており、その前端部には１つ以上の刃を備えたカミソリ刃ユニットが配置されている。
【０００３】
ハンドル部の構造は、グリップの最適な位置のために重要であり、肌表面に対して、１以上の刃の最適な剃り角度を提供している。ハンドルの表面にはグリップ用のパッド又はリブが設けられている。
【０００４】
しかしながら、多くの既知のハンドルのタイプは、ハンドルが、石鹸を含んだ、及び濡れた状況で使用される場合には、グリップの性質が制限される。従って、グリップ用のパッド又はリブは、エラストマーの圧縮性材料で作られるが、それらの形状及び／又は大きさが、剃り、特に精密な剃り、更に使用者の人差指がカミソリ刃ユニットを案内するときの剃りは容易ではない。出願人は、使用者が、いわゆる「フルート」グリップ又は「スプーン」グリップ又は「シャベル」グリップ又は「羽根（feather）」グリップ又は「ペン」グリップによりハンドルを保持するとき、ハンドルの後部の上側を含む、ハンドルの数面のみが、手と接触状態になり、安全なグリップのために不可欠であることに注目した。
【０００５】
いくつかの既知のタイプのハンドルは、良好な保持を得ることを可能にしているが、特に精密な剃りに関して、特に使用者が、いわゆる「フルート」グリップ又は「スプーン」グリップ又は「シャベル」グリップ又は「羽毛」グリップ又は「ペン」グリップによりハンドルを保持するときの、更に良い品質を有するハンドルに関する研究が継続中である。
【０００６】
特許文献１には、長手方向の軸に沿って延びている、細長い剛体の内核構造、及び細長く、内核構造の周りに形成された圧縮性の外層を備えたシェーバーのハンドルが開示されており、圧縮性の外層は略一定の縦横比Ｄ：Ｔを有する軸方向に離間した一連のフィンを有しており、ここでＤは長手方向軸に対し横断方向で見た場合の個々のフィンの深さであり、Ｔは長手方向軸に平行な方向で見た場合の個々のフィンの厚さであり、縦横比は個別のフィンの深さＤよりも大きい。剛体の内核構造の周りに形成された圧縮性の外層の上面は、様々な小さな多数の突起を有することができる。
【特許文献１】米国特許出願公開第２００４／０１８１６３号明細書
【発明の開示】
【発明が解決しようとする課題】
【０００７】
出願人は、ハンドルの後部において、ハンドルの上側に設けられたゴムの隆起部を有する新しいタイプのハンドルを設計した。
【０００８】
驚くべきことであり、意外なことであったが、本発明の新しいタイプのハンドルの使用によって、カミソリ刃ユニットは正確に案内されることが可能となり、結果として鼻の下又は耳の際のような肌の剃りにくい面において、非常に良い剃り味が得られるということがわかった。
【課題を解決するための手段】
【０００９】
それゆえ、本件出願の対象は、湿式カミソリ用又は安全カミソリ用の、硬質プラスチック部、及び圧縮部を備える、改善されたグリップ構造を有するハンドルであって、前記ハンドルは、ハンドルの後部において、ハンドルの上側に設けられたゴムの隆起部を備えており、前記ゴムの隆起部は、ハンドルの硬質プラスチックの表面上に突出している。
【００１０】
本発明のシステムにおいて、「ゴム」という用語は、過度な力を必要としないで使用者による十分な圧縮を可能にする、好適にはエラストマープラスチック材料、一層好適には成形可能なエラストマー材料を示している。このような材料の例は、例えば当技術分野で周知のいずれかのエラストマー成分であり、特にグリップ部を形成するのに好適なエラストマー硬度範囲にあり、この硬度範囲はショアＡ硬度の範囲である。これはエラストマー及び熱可塑性エラストマー、及びそれらの混合物を含んでいる。好適なエラストマーは、ニトリルゴム（ＮＢＲ）、スチレンブタジエンゴム（ＳＤＲ）、エチレン・プロピレン３元共重合体（ＥＰＤＭ）、及び（互換性を有する）それらの混合物を含んでいる。好適な熱可塑性エラストマーの例は、スチレンブロック共重合体、例えば、スチレン・ブチレンブロック共重合体（ＳＢＳ）、スチレン・エチレン・ブチレンブロック共重合体（ＳＥＢＳ）、熱可塑性ポリウレタン、ポリエーテルブロックアミド、コポリエステル、熱可塑性ポリオレフィン（ＥＰＤＭ／ＰＰ，ＮＢＲ／ＰＰ…）、及び（互換性を有する）それらの混合物を含んでいる。さらに、前記エラストマー材料は１以上の添加物を含有することができる。添加物の例は、一般に抗酸化物質に分類される化学物質、ＵＶ安定剤、接着性調整剤（adhesion modifier）、臭気減少剤、及びその他当業者に周知である材料を含んでいる。添加物は、前記材料の加工性を改善し、その保管寿命及び使用寿命を拡張し、本質的に相互互換性を（inter-compatible）有さない基体「ポリマー製支持体」（substrate "polymeric supports"）への接着性を改善し、特有の典型的なエラストマー及びエラストマー合成物臭のような、特有の知覚性の異常を遅らせる。
【００１１】
「ハンドルの後部における」とは、ゴムの隆起部が、ハンドルの後ろから６．５ｃｍ以内、好適には６ｃｍ〜１ｃｍ、一層好適には４．５ｃｍ〜１．２ｃｍ、特には２．７ｃｍ〜１．３ｃｍに設けられていることを意図している。ここでの上記の距離は隆起部の中心より計測される。
【００１２】
別の選択的な条件においては、ハンドルの横断面は、ハンドル長の３０％以上、好適には５０％以上、一層好適には７０％以上、より一層好適にはハンドルの略全長に対して略Ｖ字形状である。
【００１３】
ゴムの隆起部の数は例えば、４〜３５、好適には６〜２０、一層好適には８〜１６、より一層好適には９〜１１である。
【００１４】
ゴムの隆起部は、例えば立方体、又は円錐台形状のような任意の好適な形状を取ることができるが、別の選択的な条件においては、ゴムの隆起部は半球形状である。専用の成形作業が整っている場合、ハンドルの型からの取出しの観点から、上記のデザインが特に好適である。さらに、略半球形状の隆起部は最大のグリップ効果を提供する。
【００１５】
また、ゴムの隆起部の高さは一定であってもよい。しかし、ゴムの隆起部の高さは、ハンドルの後方から刃に向かって、より低い高さからより高い高さへと徐々に増加してもよい。若しくはその逆でもよい。
【００１６】
ゴムの隆起部の高さは、硬質プラスチックの表面上で、例えば０．２〜２ｍｍ、好適には０．４〜１．５ｍｍ、一層好適には０．６〜０．８ｍｍであってよい。
【００１７】
２つの隣接するゴムの隆起部の間隔は、例えば１０〜２、好適には７〜２．５、一層好適には５〜３ｍｍであってよい。
【００１８】
ゴムの隆起部の幅（若しくは半球形状又は類似形状の隆起部の直径）は、例えば０．５〜４ｍｍ、好適には０．７〜３ｍｍ、一層好適には１〜２ｍｍであってよい。
【００１９】
上記ゴムの隆起部によって提供される滑り防止効果は、隆起部及び隆起部のゴム又はエラストマー材料が設けられる硬質プラスチック材料、例えばポリプロピレン、又はＡＢＳ樹脂との間の対照性によって向上する。ＢＡＳＥＬ’ｓより市販されている、８４０又は６４８グレードのＡＤＳＴＩＦＦ（登録商標）のようなポリプロピレンを、特に挙げることができる。
【００２０】
本発明のハンドルは、射出成形された熱可塑性の非エラストマー材料からなる実質的に剛体の骨格部、及び射出成形されたエラストマー材料で作られた可撓性部を備えている、複合構造を有している。ハンドルの表面の、いくつかの場所は非エラストマー材料によって構成されており、他の場所はエラストマー材料によって構成されている。ハンドルの上側の後半部分に関しては、好適には表面の５０％以上、一層好適には６０％以上、より一層好適には７０％以上が硬質プラスチック材料で作られる。
【００２１】
尚、ハンドルの上側の後半部分に関しては、好適には表面の２％〜３０％、一層好適には５％〜３０％、より一層好適には５％〜２０％がエラストマー材料から作られる。
【００２２】
本発明を実施するための好適な条件下では、本ハンドルは２つのステップの工程で得られる。
【００２３】
本発明の対象は、硬質プラスチック材料の骨格部を成形するステップ、及び前記骨格部上のエラストマーのグリップ部を成形するステップを具備している、上述のカミソリのハンドルの製造方法でもあって、ゴムの隆起部は、ハンドル後部の上側に設けられる。
【００２４】
本発明を実施するための他の好適な条件下では、溝がハンドルの後部のハンドルの骨格部に設けられ、プラスチックの硬質面の下から、ハンドルの上面に開けられた溝の穴を通じてエラストマー材料を供給することによって、所望のゴム製の隆起部を作ることができる。ハンドルの後部の硬質プラスチックの上面に設けられているゴムの隆起部は、このようにして得られる。
【００２５】
本発明に従ったハンドルは、ゴムの隆起部がハンドルの後部上側に設けられていることによる有利な特性を有している。
【００２６】
６つの主要なグリップ位置が知られている。ハンドルの後部の上側を使用者の手のひらの上に置きながら、ハンドルがペンのように把持されている「ペン」位置、ハンドルの後部の上側を使用者の手のひらの上に置きながら、ハンドルの前部が親指と人差指との間に保持されている「つまみ（pincer）」位置、ハンドルの後部の上側を使用者の手のひらの上に置きながら、ハンドルの前部が４本の指で取り囲まれている「羽根」位置、ハンドルが鍋のパイプのように把持されている「フルート」位置、ハンドルがスプーンのように把持されている「スプーン」位置、ハンドルがハンドルの下に置かれた親指と、ハンドルの上部に沿って置かれた他の４本の指との間で把持されている「シャベル位置」、である。
【００２７】
全てのグリップ位置に対して、本発明の隆起部は、特にカミソリのハンドル方向によっては、精密な剃りの間に、手のひら又は手の指が滑るのを防ぐ。本発明の隆起部は、最初の３つのグリップ位置においては使用者の手のひらの上に置かれており、「フルート」位置においては薬指及び小指の末節骨、「スプーン」位置においては人差指の基節骨、「シャベル」位置においては人差指の末節骨の上に置かれている。
【００２８】
また、上述した形状及び寸法のゴムの隆起部のこのような構成を有するハンドルは、使用者に改善された感触の良さをさらに提供する。
【００２９】
上述した形状のハンドルを有している安全カミソリは、使用者が精密な剃りをしている間の最適な人間工学に基づいたグリップを保証する。
【００３０】
また、上述したゴムの隆起部を実施するための好適な条件は、上記にて構想された本発明の他の対象、特に上述のカミソリのハンドルを作るための方法にも適用される。
【００３１】
本発明の技術的範囲は、以下の記載を参照することによって、より良く理解することが可能であり、この記載の目的は、本発明の有利点を説明することである。
【発明を実施するための最良の形態】
【００３２】
図１を参照すると、安全カミソリは緩やかに曲線を描いたハンドル１を備えている。
【００３３】
ハンドル１は使用者によって手で把持される細長い本体部を有しており、その後部が図１に示されている。ハンドル１全体は、前端（図示せず）と後端２との間を本体に沿って計測した場合に、約１２ｃｍの長さを有している。ハンドルは、成形可能な硬質プラスチック材料で作られている骨格部３、及び過度な力を必要としないで使用者による圧縮を可能にする成形可能なエラストマー材料の部分的な層を備えている。格子状のハッチ面は、成形可能なエラストマー材料で作られた部分を示している。
【００３４】
１０個の隆起部５，６がハンドルの上面においてハンドルの後方に向かって設けられている。４個の隆起部６が、ハンドルの対称長手軸に沿って整列しており、更に６個の隆起部５が、中心の隆起部の列の両側の曲線に沿って設けられている。
【００３５】
ゴムの隆起部５，６は、上記の成形可能なエラストマー材料で作られている。
【００３６】
図２に見られるように、隆起部５，６の概略の形状は半球形である。ハンドルの上面は、なだらかに曲線を描いている。
【００３７】
カミソリは、剃りをしている間は使用者の指によって最適に案内される。
【図面の簡単な説明】
【００３８】
【図１】本発明のハンドルの一実施形態による安全カミソリの後半部の平面図である。
【図２】本発明のハンドルの一実施形態による安全カミソリの後半部の側面図である。
【符号の説明】
【００３９】
１  ハンドル
２  後端部
３  硬質プラスチック部
４  圧縮部
５  隆起部
６  隆起部
【図１】
2008543515.tif 000003
【図２】
2008543515.tif 000004
【国際調査報告】
2008543515.tif 000005
2008543515.tif 000006
2008543515.tif 000007